(57)【特許請求の範囲】
【請求項１】
解体された木造家屋の廃材の投入部と排出部とを有する櫛形板状篩からなる篩い分け部と、該篩い分け部の下方に篩下の搬出手段を設け、該搬出手段の最終端に該篩下を分離する水槽を配置してなり、前記篩い分け部は、揺動振動部材を付設した上位の櫛形板状篩とその下位に間隙をもって位置する揺動振動部材を付設した下位の櫛形板状篩とで構成され、前記間隙には前記上位の櫛形板状篩の下方で前記上位の櫛形板状篩とその一方端が重なり、前記下位の櫛形板状篩の上方で前記下位の櫛形板状篩とその他方端が重なるように配置されて前記間隙に平板状テーブルが傾斜状に介装されたことを特徴とする木造家屋の廃材分別回収処理装置。
【発明の詳細な説明】
【０００１】
【発明の属する技術分野】
本発明は、解体された木造家屋の廃材を分別し、壁土などの再利用可能なものを回収することができる木造家屋の廃材分別回収処理装置に関するものである。
【０００２】
【従来の技術】
木造家屋自体の老朽化、ライフスタイルの変化、家族構成の変更、趣向の多様化と云ったライフサイクルの変化・変更等に伴う住宅への要求から古くなった木造の家屋が取壊・解体され、これに伴って大量の解体された木造家屋の廃材、例えば、瓦、壁土、コンクリート材、柱・梁や板材などの木材と云った各種の多くの廃材が廃棄物として発生している。そして、このとき発生する解体された木造家屋の廃材は、従来は埋め立て処分や焼却処分などにより処理されている。
【０００３】
しかしながら、これら解体された木造住宅から大量に発生する廃材を埋め立て処分をするにも、適当な埋め立て処分場が今や満杯の状態であり、また、近くの埋め立て処分地が不足しているため遠く離れた埋め立て処分場で埋め立て処分するしかなく、このため、遠距離の埋め立て地へ運搬するにも多額の費用がかかる。また、埋め立て処分量を減らすために焼却処分を行うにも、木造家屋の廃材中には多くの種類の素材と部材から構成されており、これらの廃材の中には、焼却処分の際に廃材の材質によっては有害な排気ガスを排出する恐れがあることから環境汚染に対する多くの規制があり、焼却処分によって廃材の埋め立て処分量を減量するにもなかなか難しい問題がある。
【０００４】
そしてまた、木造家屋の廃材を従来のように単に埋め立て処分や焼却処分などにより処分することなく、廃棄する処分量を減少させるとともに、資源の有効利用の面からこれら廃材をそのまま再利用したり、また、再生して利用することが求められている。このために、廃材中に混在している焼却処分のできるものとできないものとを分離し、再利用できるものはできるだけ再利用し、廃棄する処分量をできるだけ減少させる必要がある。
【０００５】
また近年、土壁を用いた木造家屋の新築件数は減少していると云うものの、今なお需要はある。しかしながら、産地での資源の枯渇と共に良質の壁土の生産量も減少し、量的な確保も難しくなってきている。このため、たとえ古い木造家屋の壁土であっても、壁土は古しても壁土としての価値も高く壁土として再び利用することが可能であることから、解体された木造住宅から発生する壁土を埋め立てなどの処分することなく、この壁土をできるだけ分別回収して再利用することが望ましい。
【０００６】
従来の木造家屋の廃材の材質別や部材別に分別回収する廃材分別回収処理装置を図３、４により説明する。図３は、二段階で廃材を分別回収する廃材分別回収処理装置の概略平面図で、図４は、同装置の概略側面図である。図３に示すように、従来の廃材分別回収処理装置は、図示されていない架台に支承された主に廃材が投入される廃材投入部と、この廃材投入部に続く篩目が順次大きくなっている架台に支承された二段階の篩い分け部とからなっており、各篩い分け部の下には篩下を排出するためのコンベア装置が図示されていない架台に支承されて配置されている。
【０００７】
符号１はホッパーで、ホッパー１の下部にはホッパー１からの廃材を初段の篩い分け部に投入するための落下ゲートを有するシュート２が設けられている。符号３１、３２は櫛形板状篩で、ホッパー１に近い第一櫛形板状篩３１の篩目が一番細かく、第二櫛形板状篩３２の篩目は、第一櫛形板状篩３１の篩目よりも大きく構成されている。これら第一櫛形板状篩３１、第二櫛形板状篩３２には、櫛形板状篩に揺動振動を付与する揺動振動装置５が装備されており、そして、この揺動振動により各櫛形板状篩３１、３２上の廃材は櫛形板状篩の前方端に移送されながら移動し、篩目の大きさよりも小さな廃材は篩われて篩下に落ちると共に、上位の櫛形板状篩の篩上に残った廃材は、次の下位の櫛形板状篩の上に落下するようになっている。
【０００８】
また、各櫛形板状篩３１、３２の下方には、篩い分けられた篩下を受けて搬出する第一ベルトコンベア４１、第二ベルトコンベア４２が配置されている。また、各ベルトコンベア４１、４２の上方には篩下に混在する釘、鉄片などの鉄製品を磁力により取り除くための磁選装置６が設置されている。最終段である第二櫛形板状篩３２の篩上の廃材は第二櫛形板状篩３２の終端縁に配設された第三ベルトコンベア４３の上に落ち、この第三ベルトコンベア４３にも前記ベルトコンベアと同様に磁選装置６が設けられている。
【０００９】
このように構成された廃材分別回収処理装置は、前処理としてコンクリート塊等の比較的大きな塊、柱梁部材や板状部材などを予め取り除いて、残りの廃材は予め破砕機などによって破砕しておき、この破砕された廃材をホッパー１の投入口に投入する。
【００１０】
次いで、ホッパー１のシュート２から、破砕された廃材はホッパー１から第一櫛形板状篩３１の上に落下し、そして、この第一櫛形板状篩３１の上に落下した破砕された廃材は、第一櫛形板状篩３１は揺動振動装置５によって揺動振動が付与されているので、順次前方端方向に送られ、その間に第一櫛形板状篩３１の各櫛歯間より小さな廃材は篩下となって第一ベルトコンベア４１の上にふるい落とされる。
【００１１】
そして、第一ベルトコンベア４１の上にふるい落とされた篩下は、ベルトコンベアによって搬送され、その搬送の途中に第一ベルトコンベア４１の上に設置されている磁選装置６によってふるい落とされた篩下中に混在している釘、鉄片などの鉄製品が取り除かれ回収される。鉄製品が取り除かれた残りの篩下は、ベルトコンベアの端部からストックヤードに放荷され堆積する。
【００１２】
また、第一櫛形板状篩３１の篩下とならなかった篩上の廃材は、第一櫛形板状篩３１の前方端から次段の第二櫛形板状篩３２の上に落下する。この第二櫛形板状篩３２も第一櫛形板状篩３１と同様に揺動振動装置５によって揺動振動が付与されているので、第二櫛形板状篩３２上の廃材は順次前方端方向に送られ、その間に第二櫛形板状篩３２の各櫛歯間より小さな廃材は篩下となって第二ベルトコンベア４２の上に篩い落とされる。
【００１３】
そして、第二ベルトコンベア４２の上にふるい落とされた篩下は、ベルトコンベアによって搬送され、その搬送の途中に第二ベルトコンベア４２の上に設置されている磁選装置６により、ふるい落とされた篩下中に混在する鉄製品が取り除かれ回収される。鉄製品が取り除かれた残りの篩下は、更にベルトコンベアの端部からストックヤードに放荷され堆積する。この第二櫛形板状篩３２の上に残った廃材は、第二櫛形板状篩３２の前方端から第三ベルトコンベア４３の上に落下し、磁選装置６によって混在する鉄製品が取り除かれ、残りの廃材は第三ベルトコンベア４３からストックヤードに放荷され堆積し、ここで堆積した廃材は、再び破砕機に送られて破砕され、破砕されてホッパー１に投入され再度篩い分けされる。
【００１４】
ベルトコンベア３１、３２によってストックヤードに放荷され堆積した篩下は、それぞれ篩目の大きさによって一定の粒径に篩い分けされており、特に、一番篩目の細かい第一櫛形板状篩の篩下には比較的壁土が多く含まれているので、この第一櫛形板状篩の篩下の壁土分を多く含んでいる堆積物を業者は持ち帰ってゴミなどの混在した異物を取り除いて再利用している。
【００１５】
【発明が解決しようとする課題】
しかしながら、図３、４に示した従来の廃材分別回収処理装置は、上位の櫛形板状篩と下位の櫛形板状篩との間には段差があることから、例えば、第一櫛形板状篩３の篩の上に残った廃材は、揺動振動により第一櫛形板状篩３１の前方に送られ前方端から次段の第二櫛形板状篩３２の上に落下する。そしてこの廃材中の土壁の中にある割竹材や木片などの棒状部材７が土壁から分離して残っていることから、この棒状部材７が上位の櫛形板状篩から下位の櫛形板状篩への移行の際に、上位の櫛形板状篩が揺動振動中に該棒状部材７の長さ方向が櫛形板状篩の揺動進行方向と一致して、棒状部材７が第一櫛形板状篩３１の篩目となる櫛目の間に填りながらその棒状部材７の端部が下位の櫛形板状篩の櫛目の間に落下して、上位の櫛形板状篩の櫛目と下位の櫛形板状篩の櫛目との間に棒状部材が挟まってしまい詰まってしまう場合がある（図５参照）。
【００１６】
そうすると、この上位と下位の櫛形板状篩とにわたって突き刺さった棒状部材７が他の廃材の上位の櫛形板状篩からの落下の妨げとなり、上位の櫛形板状篩の上に廃材が滞留してしまうので、両方の櫛形板状篩間にわたって突き刺さっている棒状部材７を取り除くために、その度毎に廃材分別回収処理装置全体を停止させなければならないと云う問題があった。このため、廃材の分別処理作業の作業効率が悪かった。
【００１７】
また、破砕機によって破砕された廃材は、櫛形板状篩の櫛目の篩目の大きさに応じて粒径別に分級されているとは云え、この粒径別に分級されたものの中には、壁土と共に、細かく砕かれた木片や断熱材などが多く含まれている。このため良質な壁土として利用するためには、更にこれら木片や断熱材を取り除くことが必要である。
【００１８】
そこで、本発明は上述した課題によりなされたもので、本発明では、篩い分け部によって木造家屋の廃材を再利用の用途に応じて分級すると共に、また、櫛形板状篩を使用した篩い分け部の、上位の櫛形板状篩と下位の櫛形板状篩との間に篩目のない平板状テーブルを介装することにより上位の櫛形板状篩から下位の櫛形板状篩に直接廃材を落とすことなく、一旦上位の櫛形板状篩から平板状テーブルに落とし、次にこの平板状テーブルから下位の櫛形板状篩の上に廃材を落とすことによって、上位の櫛形板状篩の櫛目と下位の櫛形板状篩の櫛目との間に棒状部材が挟まって突き刺ささることがないようにすると共に、各櫛形板状篩の下に配置されたベルトコンベアの端部に水槽を設け、この水槽に各櫛形板状篩からの篩下となった廃材を投入し、比重差によって沈んだ壁土と浮かぶ細かく砕かれた木片や断熱材など分別回収するようにした木造家屋の廃材分別回収処理装置を提供することを目的とする。
【００１９】
【課題を解決するための手段】
上記の目的を達成するため、本発明の請求項１に記載の発明は、解体された木造家屋の廃材の投入部と排出部とを有する櫛形板状篩からなる篩い分け部と、該篩い分け部の下方に篩下の搬出手段を設け、該搬出手段の最終端に該篩下を分離する水槽を配置してなり、前記篩い分け部は、揺動振動部材を付設した上位の櫛形板状篩とその下位に間隙をもって位置する揺動振動部材を付設した下位の櫛形板状篩とで構成され、前記間隙には前記上位の櫛形板状篩の下方で前記上位の櫛形板状篩とその一方端が重なり、前記下位の櫛形板状篩の上方で前記下位の櫛形板状篩とその他方端が重なるように配置されて前記間隙に平板状テーブルが傾斜状に介装されたことを特徴とする木造家屋の廃材分別回収処理装置。
【００２０】
【００２１】
【００２２】
【発明の実施の形態】
以下、本発明の実施の形態を図面によって説明する。図１は、本発明の篩い分け部として櫛形板状篩を使用した木造家屋の廃材分別回収処理装置の概略平面図、図２は、本発明の木造家屋の廃材分別回収処理装置の概略側面図である。
【００２３】
図１により本発明の木造家屋の廃材分別回収処理装置について説明すると、先に図３、４により説明した従来の廃材分別回収処理装置と同様、本発明の木造家屋の廃材分別回収処理装置は、図示されていない架台に支承されており、主に廃材が投入される廃材投入部とこの廃材投入部に続く篩目が順次大きくなっている架台に支承された二段階の篩い分け部とからなっており、そして、この二段階の篩い分け部の間には平板状テーブルが傾斜状に介装されている。また、篩い分け部の廃材投入部の反対方向には排出部となっている。そして、各篩い分け部の下には篩下を搬送するためのコンベア装置が図示されていない架台に支承されて配置されている。
【００２４】
ホッパー１の下部にはホッパー１からの廃材を初段の篩い分け部に投入するための落下ゲートを有するシュート２が設けられている。ホッパー１に近い第一櫛形板状篩８１の篩目は最も細かくなっており、この第一櫛形板状篩８１の篩目よりも大きく構成されている。これら第一櫛形板状篩８１と第二櫛形板状篩８２には、揺動振動を付与する揺動振動装置５が装置されている。
【００２５】
そして、この揺動振動装置５の揺動振動により第一櫛形板状篩８１と第二櫛形板状篩８２の上の廃材は、それぞれ前方端に移送されながら移動し、篩い分け部では、各櫛形板状篩の篩目よりも小さな廃材は、篩われて篩下となってコンベア装置に落ちる。また、上位の櫛形板状篩の篩上に残った廃材は、上位の櫛形板状篩と下位の櫛形板状篩とに介装されている平板状テーブル８３を介して次段の下位の櫛形板状篩の上に送られる。
【００２６】
また、各櫛形板状篩８１、８２の下方には、各櫛形板状篩８１、８２によって篩い分けられた篩下を受けて搬出する第一ベルトコンベア９１、第二ベルトコンベア９２が配置されている。また、各ベルトコンベア９１、９２の上方には篩下に混在する釘、鉄片などの鉄製品を磁力により取り除くための磁選装置６が設置されている。最終段である第二櫛形板状篩８２の篩上の廃材は第二櫛形板状篩８２の終端縁に配設された第三ベルトコンベア９３の上に落ち、第三ベルトコンベア９３の上にも前記ベルトコンベア９１、９２と同様の磁選装置６が設けられている。
【００２７】
そしてさらに、前記ベルトコンベア９１、９２の最終端には、第一水槽１０および第二水槽１１が配置されている。これら水槽の一端の注水口が設けられており、図示されていない送水手段により水が流入されている。また、水槽の他端には流出する水に浮いて流れ出る浮いた不純物（木片や断熱材などの破片）を掬い取るために流出口にはフィルタが設けられており、流水と共に流れ出る木片や断熱材などの破片は、このフィルタにより掬い取られて焼却処分されるが、流水は再び水槽に送られ循環するようになっている。
【００２８】
このように構成された廃材分別回収処理装置は、前処理としてコンクリート塊等の比較的大きな塊、柱梁部材や板状部材などを予め取り除かれ、残りの廃材は予め破砕機などによって破砕され、この破砕された廃材をホッパー１の投入口に投入される。次いで、ホッパー１のシュート２から第一櫛形板状篩８１の上に落下し、そして、この第一櫛形板状篩８１の上に落下した破砕された廃材は、第一櫛形板状篩８１は揺動振動装置５によって揺動振動が付与されているので、順次前方端方向に送られ、その間に第一櫛形板状篩３１の各櫛歯間より小さな廃材は篩下となって第一ベルトコンベア９１の上に篩い落される。
【００２９】
この第一ベルトコンベア９１の上に篩い落され細粒径の廃材は、第一ベルトコンベア９１によって第一水槽１０に搬送される途中に、第一ベルトコンベア９１の上方に設けられた磁選装置６によって廃材中に混在している釘、鉄片などの鉄製品が取り除かれ回収される。鉄製品が取り除かれた残りの篩い落され細粒径の廃材は、第一ベルトコンベア９１の端部から第一水槽１０の中に放荷される。
【００３０】
そして、第一水槽１０の中に放荷された廃材に混在する細かく破砕された壁土やコンクリート粉、木片や断熱材などの破片は、比重差により細かく破砕された壁土やコンクリート粉は水槽の底に沈むが、木片や断熱材などの破片は水に浮くので、水槽からの流水と共に流れ出て、水槽に設けられた流出口のフィルタによって掬い取られて焼却処分される。そして、木片や断熱材などの破片を掬い取られた流水は再び水槽に送られ循環する。また、水槽の底に沈んだ細かく破砕された壁土やコンクリート粉は、水槽内の受け部材に収容されたのち取り出されて再び壁土として再利用される。
【００３１】
一方、第一櫛形板状篩８１で篩い落とされずに第一櫛形板状篩８１の上に残った廃材は、揺動振動装置５によって揺動振動によって順次前方端方向に送られ、上位の第一櫛形板状篩８１の前方端から下位の第二櫛形板状篩８２に亘って傾斜状に介装されている平板状テーブル８３を丁度シュートのように滑り落ちて下位の第二櫛形板状篩８２の上に送られる。
【００３２】
このとき、廃材の中に木片や土壁中の割竹材などの棒状部材７が混在しているが、上位の第一櫛形板状篩８１の前方端と下位の第二櫛形板状篩８２との間には、従来の廃材分別回収処理装置のような段差がないことから、棒状部材７の端部が、下位の第二櫛形板状篩８２の櫛目の間に棒状部材が挟まることなく下位の第二櫛形板状篩８２に送られ、棒状部材７が上位の櫛形板状篩から下位の櫛形板状篩への移行の際に、棒状部材７の端部が下位の櫛形板状篩の櫛目の間に落下して、上位の櫛形板状篩の櫛目と下位の櫛形板状篩の櫛目との間に棒状部材が挟まって、この上位と下位の櫛形板状篩とにわたって突き刺さった棒状部材７が他の廃材の上位の櫛形板状篩からの落下の妨げとなって、上位の櫛形板状篩の上に廃材が滞留することがなくなる。
【００３３】
次に、第二櫛形板状篩８２の上に落下した廃材は、第二櫛形板状篩８２も揺動振動装置５によって揺動振動が付与されているので順次前方端方向に送られ、その間に第二櫛形板状篩８２の各櫛歯間より小さな廃材は篩下となって第二ベルトコンベア９２の上に篩い落される。この第二ベルトコンベア９２の上に篩い落された廃材は、第二ベルトコンベア９２によって第二水槽１１に搬送される途中に、第二ベルトコンベア９２の上方に設けられた磁選装置６によって篩い落され廃材中に混在している釘、鉄片などの鉄製品が取り除かれ回収される。鉄製品が取り除かれた残りの篩い落された廃材は、第二ベルトコンベア９２の端部から第二水槽１１の中に放荷される。
【００３４】
そして、第二水槽１１の中に放荷された廃材は、第一水槽１０の中に放荷された廃材よりも大きさの大きいコンクリート塊、木片、断熱材などとなり、それら破片は、比重差によって水槽の底に沈むものと、浮き上がるものとに分離される。コンクリート塊は水槽の底に沈むが、木片や断熱材などの破片は水に浮き、水槽からの流水と共に流れ出て、水槽に設けられた流出口のフィルタによって掬い上げられる。そして、木片や断熱材などの破片を掬い取られた流水は再び水槽の注水口に送られ循環する。また、水槽の底に沈んだコンクリート塊は、水槽内の受け部材に収容されたのち取り出されて破砕処理などが行われ再利用される。
【００３５】
一方、第二櫛形板状篩８２で篩い落とされずに第二櫛形板状篩８２の上に残った廃材は、揺動振動装置５によって揺動振動によって順次前方端方向に送られ、第二櫛形板状篩８２の前方端から第三ベルトコンベア９３の上に落とされ、第三ベルトコンベア９３の上に篩い落された廃材は、第三ベルトコンベア９３によって搬送される途中に、第三ベルトコンベア９３の上方に設けられた磁選装置６によって篩い落され廃材中に混在している釘、鉄片などの鉄製品が取り除かれ回収される。鉄製品が取り除かれた残りの篩い落された廃材は、第三ベルトコンベア９３の端部からストックヤードに放荷される。このストックヤードに放荷され体積した廃材は、再び破砕機に送られて破砕され、破砕されてホッパー１に投入され再度篩い分けされる。
【００３６】
そして、最終的に櫛形板状篩で篩上として残った木造家屋の廃材は、従来のように埋め立て処分または焼却処分されるが、櫛形板状篩によって分級され、再利用可能なものは再利用されるので、従来に比して埋め立て処分または焼却処分する量を減少させることができる。
【００３７】
なお上記の説明では、二段となった櫛形板状篩の間に篩作用を有しない平板状テーブルを介装した例について説明したが、櫛形板状篩がより多段の場合は、各櫛形板状篩間にそれぞれ平板状テーブルを介装することが可能である。
【００３８】
【００３９】
【００４０】
【００４１】
【００４２】
【００４３】
【００４４】
【００４５】
【００４６】
【００４７】
【発明の効果】
以上説明したように、本発明の木造家屋の廃材分別回収処理装置は、下記の効果を奏することができる。
【００４８】
１．篩い分け部の篩下の木造家屋の廃材中に壁土やコンクリート粉、木片や断熱材などの破片が混在していても、この混在した廃材を水槽に放荷すると、廃材に混在する破砕された壁土やコンクリート粉は水槽の底に沈むが、木片や断熱材などの破片は水に浮き、水槽からの流水と共に流れ出て、水槽に設けられた流出口のフィルタによって掬い上げられて焼却処分され、また、水槽の底に沈んだ細かく破砕された壁土やコンクリート粉は、水槽内の受け部材に収容されて取り出されて、再び壁土として再利用することができる。
【００４９】
２．最終的に篩い分け部に篩上として残った木造家屋の廃材は、従来のように埋め立て処分または焼却処分されるが、篩い分け部によって分級され、再利用可能なものは再利用されるので、従来に比して埋め立て処分または焼却処分する量を減少させることができる。
【００５０】
３．土壁を有する木造の家屋廃材を篩い分け部で分級すると共に、例え篩下の廃材中に木片や土壁中の割竹材などの棒状部材が混在していても、多段の篩い分け部の上位の櫛形板状篩と下位の櫛形板状篩との間に平板状テーブルが傾斜状に介装されており、従来の廃材分別回収処理装置のような段差がないことから、棒状部材の端部が、下位の櫛形板状篩の櫛目の間に棒状部材が挟まることなく下位の櫛形板状篩に送られ、棒状部材が上位の櫛形板状篩から下位の櫛形板状篩への移行の際に、棒状部材の端部が下位の櫛形板状篩の櫛目の間に落下して、上位の櫛形板状篩の櫛目と下位の櫛形板状篩の櫛目との間に棒状部材が挟まって、櫛形板状篩の篩目に突き刺さった棒状部材が他の廃材の上位の櫛形板状篩からの落下の妨げとなって、上位の櫛形板状篩の上に廃材が滞留することがなくなるので、従来のように櫛形板状篩に突き刺さった棒状部材を取り除くために装置を停止させる必要が無く作業効率が良くなる。
【図面の簡単な説明】
【図１】本発明の櫛形板状篩を使用した木造家屋の廃材分別回収処理装置の概略平面図、
【図２】図１の概略側面図
【図３】従来の廃材分別回収処理装置の概略平面図、
【図４】図３の概略側面図、
【図５】上段の櫛形板状篩と下段の櫛形板状篩とに跨って棒状部材が嵌った状態図。
【符号の説明】
１  ホッパー装置、  ２  シュート、  ３１  第一櫛形板状篩、
３２  第二櫛形板状篩、  ４１  第一ベルトコンベア、
４２  第二ベルトコンベア、  ４３  第三ベルトコンベア、
５  揺動振動装置、  ６  磁選装置、  ７  棒状部材、
８１  第一櫛形板状篩、  ８２  第二櫛形板状篩、  ８３  平板状テーブル、
９１  第一ベルトコンベア、  ９２  第二ベルトコンベア、
９３  第三ベルトコンベア、  １０  第一水槽、  １１  第二水槽、  １２  架台。
【図１】
0003961197.tif 000002
【図２】
0003961197.tif 000003
【図３】
0003961197.tif 000004
【図４】
0003961197.tif 000005
【図５】
0003961197.tif 000006